(57)【特許請求の範囲】
【請求項１】
トランスミッションケース内に収容されたオイルのレベルを計測するオイルレベルゲージ装置であって、
取手部を一端に有するゲージロッドと、
前記トランスミッションケースのゲージロッド挿入口を閉塞する前記ゲージロッドに固定されたキャップと、
所定の厚さ及び厚さ方向に直交する所定の幅を有し、前記ゲージロッドの挿入方向を規制する該ゲージロッドに固定された駒と、
前記駒と選択的に干渉することにより前記ゲージロッドの挿入方向を規制する挿入ガイドを画成する、所定間隔離間して前記トランスミッションケースの内方に一体的に形成された一対の規制壁部とを具備し、
前記駒は前記キャップと弾性部材にて一体的に形成されており、
前記ゲージロッドの完全挿入状態においては、
前記駒は前記一対の規制壁部の間に位置することを特徴とするオイルレベルゲージ装置。
【請求項２】
前記キャップ及び前記駒は前記ゲージロッドを通した型中に前記弾性部材のゴムを注入することにより一体成形されていることを特徴とする請求項１記載のオイルレベルゲージ装置。
【発明の詳細な説明】
【技術分野】
【０００１】
本発明は、エンジンブロック又はトランスミッションケース内のオイルレベルを計測するオイルレベルゲージ装置に関する。
【背景技術】
【０００２】
オイルレベルゲージは、エンジンブロック又はトランスミッションケース内のオイルのレベルを計測するものであり、オイルレベルに加えて付着したオイルの色によりオイルの劣化を検出することもできる。
【０００３】
このオイルレベルゲージがエンジンブロック又はトランスミッションケースに装着されて使用されるが、オイルレベルゲージの装着箇所近傍には各種の配管や補機等の部品が配置されているため、これらと衝突しないようにオイルレベルゲージを挿入する必要があり、これを実現するためオイルレベルゲージの挿入方向を規制した従来技術が知られている。
【０００４】
例えば、実開昭６１−１７４０９号公報には、絞りガイドを有するゲージガイド管と、ゲージロッドと、ゲージロッドに取り付けられたキャップ及び駒から構成されたオイルレベルゲージが開示されており、ゲージガイド管に形成された絞りガイドにより駒の挿入方向を規制することによって、ゲージロッドの挿入される向きを規制するようにしている。
【０００５】
また、特開平４−２２８８１６号公報には、挿入規制部によって規制された向き以外の向きでオイルレベルゲージが挿入された場合にも、挿入に伴いレベルゲージを自動的に回転させ、所定の向きに合わせて挿入規制部に導くようにしたオイルレベルゲージガイドが開示されている。即ち、このオイルレベルゲージガイドでは、オイルレベルゲージガイドの断面形状により平板状のオイルレベルゲージの挿入方向の規制を行うものである。
【特許文献１】実開昭６１−１７４０９号公報
【特許文献２】特開平４−２２８８１６号公報
【発明の開示】
【発明が解決しようとする課題】
【０００６】
しかし、上述した従来のオイルレベルゲージでは、レベルゲージガイド管に平板状のオイルレベルゲージを挿入する構成であり、レベルゲージガイドが設けられていない構造ではオイルレベルゲージの挿入方向を規制できないという問題がある。
【０００７】
本発明はこのような点に鑑みてなされたものであり、その目的とするところは、簡単な構造でオイルレベルゲージの挿入方向を規制可能なオイルレベルゲージ装置を提供することである。
【課題を解決するための手段】
【０００８】
上述した課題を解決するため、本発明によると、トランスミッションケース内に収容されたオイルのレベルを計測するオイルレベルゲージ装置であって、取手部を一端に有するゲージロッドと、前記トランスミッションケースのゲージロッド挿入口を閉塞する前記ゲージロッドに固定されたキャップと、所定の厚さ及び厚さ方向に直交する所定の幅を有し、前記ゲージロッドの挿入方向を規制する該ゲージロッドに固定された駒と、前記駒と選択的に干渉することにより前記ゲージロッドの挿入方向を規制する挿入ガイドを画成する、所定間隔離間して前記トランスミッションケースの内方に一体的に形成された一対の規制壁部とを具備し、前記駒は前記キャップと弾性部材にて一体的に形成されており、前記ゲージロッドの完全挿入状態においては、前記駒は前記一対の規制壁部の間に位置することを特徴とするオイルレベルゲージ装置が提供される。
【０００９】
好ましくは、前記キャップ及び前記駒は前記ゲージロッドを通した型中に前記弾性部材のゴムを注入することにより一体成形されている。
【発明の効果】
【００１０】
本発明によると、レベルゲージガイドを廃止することができるため、少ない構成部品でコストを低減したオイルレベルゲージ装置を提供することができる。ゲージロッドに固定した駒とケースに一体的に形成した挿入ガイドによりオイルレベルゲージの挿入方向を規制できるため、オイルレベルゲージの取手部と他部品との接触を回避することができる。
【００１１】
また、請求項２記載の発明によると、駒とキャップとを一体的に成形するため、キャップ端部に対する駒の位置精度の安定化を図ることができる。
【発明を実施するための最良の形態】
【００１２】
図１を参照すると、本発明実施形態に係るオイルレベルゲージ２の全体構成が示されている。オイルレベルゲージ２は、丸棒からなるゲージロッド４と、ゲージロッド４に固着されたキャップ１０及び駒１２とから構成される。
【００１３】
キャップ１０及び駒１２はゲージロッド４を通した型中にゴムを注入することにより一体成形されており、ゲージロッド４に固着されている。
【００１４】
ゲージロッド４の上端には取手部８が形成されており、この取手部８は上端近傍に形成された曲がり部６によりキャップ１０及び駒１２が取り付けられたゲージロッド４の部分から偏心している。このように取手部８が偏心しているのは、ゲージロッド２の挿入時又は引き抜き時に取手部８と他部品との接触を避けるためである。
【００１５】
図２を参照すると、オイルレベルゲージ２がトランスミッションケース１４内に挿入された状態の縦断面図が示されている。図３は図２の３−３線断面図である。トランスミッションケース１４には、ケース１４と一体的に形成された互いに所定間隔離間した一対の規制壁部１６，１８が形成されており、これらの規制壁部１６，１８でオイルレベルゲージ２の挿入ガイド２０を画成する。
【００１６】
駒１２は概略直方体形状をしており、トランスミッションケース１４に形成された挿入ガイド２０の幅よりも薄い所定の厚さＴと、挿入ガイド２０の幅よりも大きい厚さ方向に直交する所定の幅Ｂを有している。
【００１７】
レベルゲージ２の完全挿入状態においては、レベルゲージ２の方向規制用の駒１２は一定の間隔をもったケース１４の規制壁部１６，１８の間に位置する。駒１２の厚さＴ及び幅Ｂと規制壁部１６，１８との隙間設定によりレベルゲージ２の挿入する向きの規制を行う。
【００１８】
キャップ１０と駒１２は一体成形されているため、図２に示すようにキャップ１０がケース１４のゲージロッド挿入口１５を閉塞した状態において、キャップ１０から駒１２までの位置ばらつきを抑えることができる。
【００１９】
図４は駒１２の向きが挿入ガイド２０の案内方向と合わないために、矢印２１で示すように駒１２と規制壁部１６とが突き当たった状態を示しており、この場合キャップ１０はケース１４のゲージロッド挿入口１５から所定距離Ｓだけ浮き上がることになる。
【００２０】
即ち、駒１２の先端を平面形状にすることと駒１２の先端部の位置設定により、レベルゲージ２を規制された向き以外から差し込もうとした場合は、駒１２の先端部が規制壁部１６又は１８に突き当たり、キャップ１０をゲージロッド挿入口１５より所定距離Ｓ浮き上がらせることで、作業者へオイルレベルゲージ２の不完全挿入状態を警告することができる。
【００２１】
図５はオイルレベルゲージ２の取手部８と、配線２２等の周辺に配置された部品との関係を示しており、駒１２と一対の規制壁部１６、１８とでオイルレベルゲージ２の挿入する向きの規制を行うことにより、取手部８の位置を周辺に配置された部品との接触を起こさない図示された位置に規制することができる。
【図面の簡単な説明】
【００２２】
【図１】本発明実施形態のオイルレベルゲージの全体構成を示す図である。
【図２】オイルレベルゲージがトランスミッションケース内に十分差し込まれた状態の縦断面図である。
【図３】図２の３−３線断面図である。
【図４】オイルレベルゲージを挿入する向きが合わない場合の縦断面図である。
【図５】オイルレベルゲージの取手部と周辺部品との配置関係を示す図である。
【符号の説明】
【００２３】
２    オイルレベルゲージ
４    ゲージロッド
８    取手部
１０    キャップ
１２    駒
１４    トランスミッションケース
１６，１８    規制壁部
２０    挿入ガイド
【図１】
0004610917.tif 000002
【図２】
0004610917.tif 000003
【図３】
0004610917.tif 000004
【図４】
0004610917.tif 000005
【図５】
0004610917.tif 000006